(57)【要約】【課題】  複数の広告主から広告の表示要求があったときに広告を適切に表示することができる広告表示システムおよび広告表示方法を提供する。【解決手段】  広告表示システム１は、広告管理サーバ２と、広告表示ディスプレイ３と、リモコン装置４とを含んで構成され、広告管理サーバ２には、広告表示範囲決定部１２と、広告料金管理部１３とが含まれる。広告表示範囲決定部１２は、広告表示要求を受けると、広告表示ディスプレイ３に表示中の広告の数に基づいて、広告を表示させる領域の範囲である広告表示範囲を決定する。これによって、広告表示ディスプレイ３は、広告表示範囲に従って広告を適切に表示させることができる。また、広告料金管理部１３は、表示中の広告の数に基づいて、広告を表示させる広告料金を算出するので、広告表示範囲によって重み付けされた広告料金の徴収処理を広告主に対して行うことができる。【選択図】      図１
2011076476.tif 000002
【特許請求の範囲】
【請求項１】
広告を表す広告情報を表示部に表示させる広告表示装置と、前記表示部に表示させる広告情報を管理する広告管理装置とを含んで構成される広告表示システムであって、
前記広告管理装置は、
広告情報を記憶する管理記憶部と、
前記表示部に表示中の広告の数である表示広告数を記憶する表示中広告記憶部と、
広告主からの広告の表示要求に関する広告表示要求情報を受信する管理通信部と、
前記管理通信部によって広告表示要求情報が受信されると、前記表示中広告記憶部に記憶される表示広告数に基づいて、広告情報を表示させる広告料金を算出し、算出した広告料金の徴収処理を広告主に対して行う広告料金管理部と、
前記広告料金管理部によって広告料金の徴収処理が行われると、前記表示広告数に基づいて、広告情報を表示させる表示部の領域の範囲である広告表示範囲を決定し、前記表示中広告記憶部に記憶される表示広告数に１を加算させる広告表示範囲決定部と、
前記広告表示装置との間で互いに通信可能であり、管理記憶部に記憶される広告情報と、広告表示範囲決定部によって決定された広告表示範囲に関する広告表示範囲情報とを、互いに関連付けた状態で広告表示装置へ送信する管理通信部とを含み、
前記広告表示装置は、
前記管理通信部との間で互いに通信可能であり、管理通信部によって送信された広告情報と広告表示範囲情報とを受信する表示通信部と、
前記表示通信部によって受信した広告表示範囲情報に従って、前記広告表示範囲情報に関連付けられている広告情報を表示する表示部とを含むことを特徴とする広告表示システム。
【請求項２】
前記広告表示範囲決定部は、表示部に広告情報が表示されている状態のときに広告表示要求情報を受信すると、表示部に表示させるべき広告の数によって表示部の領域を分割し、分割した各領域に広告情報をそれぞれ表示させるとする新たな広告表示範囲を決定することを特徴とする請求項１に記載の広告表示システム。
【請求項３】
前記広告料金管理部は、広告主に対する広告料金の徴収処理を行った後、広告表示範囲決定部によって新たな広告表示範囲が決定されると、決定された新たな広告表示範囲に基づいて新たな広告料金を算出し、算出した新たな広告料金と徴収処理済みの広告料金との差額を、広告主に対して返金処理することを特徴とする請求項２に記載の広告表示システム。
【請求項４】
前記広告料金管理部は、広告料金に対応付けられた利用度数を予め設定しておき、広告主に対する広告料金の徴収処理および返金処理を、利用度数の減算または加算によって行うことを特徴とする請求項３に記載の広告表示システム。
【請求項５】
前記広告表示装置は、広告表示要求情報を受信することができる表示送受信部をさらに含み、前記表示送受信部によって広告表示要求情報を受信すると、受信した広告表示要求情報を、表示通信部から前記広告管理装置の管理通信部へ送信することを特徴とする請求項１〜４のいずれか１つに記載の広告表示システム。
【請求項６】
前記広告表示装置へ広告表示要求情報を送信する端末装置をさらに含んで構成され、
前記端末装置は、
広告主が入力操作によって広告の表示要求を行う入力部と、
広告表示装置との間で互いに情報の送受信が可能であり、入力部に入力された広告表示要求情報を、前記広告表示装置の表示送受信部へ送信する端末送受信部とを含むことを特徴とする請求項５に記載の広告表示システム。
【請求項７】
前記広告表示装置は、広告情報を記憶する表示記憶部をさらに含み、管理通信部から送信された広告情報を表示受信部によって受信し、受信した広告情報を表示記憶部に記憶することを特徴とする請求項１〜６のいずれか１つに記載の広告表示システム。
【請求項８】
広告を表す広告情報を表示部に表示させる広告表示段階と、前記表示部に表示させる広告情報を管理する広告管理段階とを含む広告表示方法であって、
前記広告管理段階は、
広告情報を記憶させる管理記憶工程と、
前記表示部に表示中の広告の数である表示広告数を記憶させる表示中広告記憶工程と、
広告主からの広告の表示要求に関する広告表示要求情報を受信する管理通信工程と、
前記管理通信工程によって広告表示要求情報が受信されると、前記表示中広告記憶工程で記憶された表示広告数に基づいて、広告情報を表示させる広告料金を算出し、算出した広告料金の徴収処理を広告主に対して行う広告料金管理工程と、
前記広告料金管理工程によって広告料金の徴収処理が行われると、前記表示広告数に基づいて、広告情報を表示させる表示部の領域の範囲である広告表示範囲を決定し、前記表示中広告記憶工程に記憶される表示広告数に１を加算させる広告表示範囲決定工程と、
前記管理記憶工程によって記憶された広告情報と、前記広告表示範囲決定工程によって決定された広告表示範囲に関する広告表示範囲情報とを、互いに関連付けた状態で広告表示装置へ送信する管理通信工程とを含み、
前記広告表示段階は、
前記管理通信工程によって送信された広告情報と広告表示範囲情報とを受信する表示通信工程と、
前記表示通信工程によって受信した広告表示範囲情報に従って、前記広告表示範囲情報に関連付けられている広告情報を表示部に表示する表示工程とを含むことを特徴とする広告表示方法。
【発明の詳細な説明】
【技術分野】
【０００１】
本発明は、広告主からの広告の表示要求に応じて広告データを表示部に表示させる広告表示システムおよび広告表示方法に関する。
【背景技術】
【０００２】
図１３は、従来の技術に係る広告システム５１の構成を示すブロック図である。広告表示システムの一例である広告システム５１は、インフォメーションディスプレイ５２およびサーバ５３を含んで構成される。インフォメーションディスプレイ５２は、顧客が利用する屋外あるいは屋内に設置され、広告を表示するための大型のディスプレイである。サーバ５３は、広告代理店などに設置され、予め契約した広告主ごとに、広告と広告の表示を開始する時刻とを関連付けて記憶している。
【０００３】
サーバ５３は、表示を開始する時刻になると、その時刻に関連付けられた広告をインフォメーションディスプレイ５２に送信して表示する。たとえば、時刻「９：００」に、「Ａ社広告」をインフォメーションディスプレイ５２に送信して表示し、時刻「１０：００」に、「Ｂ社広告」をインフォメーションディスプレイ５２に送信して表示し、時刻「１１：００」に、「Ｃ社広告」をインフォメーションディスプレイ５２に送信して表示する。
【０００４】
特許文献１に記載されるＰＯＳシステムは、従来の技術に係る広告表示システムの他の例である。このＰＯＳシステムは、ＰＯＳ端末および電子掲示板システムからなり、ＰＯＳ端末が、電子掲示板システムで使用する画像情報の使用料金を管理する。ＰＯＳ端末は、画像情報の表示サイズ、種類、使用するエリア、使用する時間、および使用する時間帯などの使用条件に基づいて使用料金を算出する。ＰＯＳ端末で料金の精算が終了すると、ＰＯＳ端末に入力された画像情報は、電子掲示板システムに転送される。電子掲示板システムは、使用条件に応じて画像情報を表示する。
【０００５】
特許文献２に記載されるインターネット上の電子掲示板の広告スペースを販売するシステムは、従来の技術に係る広告表示システムのさらに他の例である。このシステムは、屋外および屋内の種々の地理的領域に配置され、ウェブアドレスが関連付けられている電子掲示板と、掲示板ウェブサイトを実施するサーバと、いずれかの電子掲示板を選択し、広告のような情報を表示する操作を行うためのクライアントとを含んで構成される。クライアントは、情報を表示する利用可能な時間および継続時間を選択し、クレジットカードなどを用いて広告時間を購入し、表示する情報をサーバにアップロードすることによって、選択した掲示板に、かつ選択した時間および継続時間で情報を表示する。
【先行技術文献】
【特許文献】
【０００６】
【特許文献１】特開平９−３４９５４号公報
【特許文献２】特表２００２−５４３５０１号公報
【発明の概要】
【発明が解決しようとする課題】
【０００７】
しかし、これらの従来の技術は、予め設定されている条件で広告を表示するものであり、広告主から広告の表示要求があったときに広告を表示することができないという問題がある。また、これらの従来の技術は、広告を表示させている状態のときに、他の広告主が広告の表示を希望しても、複数の広告を同時に表示させることができないという問題もある。
【０００８】
本発明の目的は、複数の広告主から広告の表示要求があったときに広告を適切に表示することができる広告表示システムおよび広告表示方法を提供することである。
【課題を解決するための手段】
【０００９】
本発明は、広告を表す広告情報を表示部に表示させる広告表示装置と、前記表示部に表示させる広告情報を管理する広告管理装置とを含んで構成される広告表示システムであって、
前記広告管理装置は、
広告情報を記憶する管理記憶部と、
前記表示部に表示中の広告の数である表示広告数を記憶する表示中広告記憶部と、
広告主からの広告の表示要求に関する広告表示要求情報を受信する管理通信部と、
前記管理通信部によって広告表示要求情報が受信されると、前記表示中広告記憶部に記憶される表示広告数に基づいて、広告情報を表示させる広告料金を算出し、算出した広告料金の徴収処理を広告主に対して行う広告料金管理部と、
前記広告料金管理部によって広告料金の徴収処理が行われると、前記表示広告数に基づいて、広告情報を表示させる表示部の領域の範囲である広告表示範囲を決定し、前記表示中広告記憶部に記憶される表示広告数に１を加算させる広告表示範囲決定部と、
前記広告表示装置との間で互いに通信可能であり、管理記憶部に記憶される広告情報と、広告表示範囲決定部によって決定された広告表示範囲に関する広告表示範囲情報とを、互いに関連付けた状態で広告表示装置へ送信する管理通信部とを含み、
前記広告表示装置は、
前記管理通信部との間で互いに通信可能であり、管理通信部によって送信された広告情報と広告表示範囲情報とを受信する表示通信部と、
前記表示通信部によって受信した広告表示範囲情報に従って、前記広告表示範囲情報に関連付けられている広告情報を表示する表示部とを含むことを特徴とする広告表示システムである。
【００１０】
また本発明は、前記広告表示範囲決定部は、表示部に広告情報が表示されている状態のときに広告表示要求情報を受信すると、表示部に表示させるべき広告の数によって表示部の領域を分割し、分割した各領域に広告情報をそれぞれ表示させるとする新たな広告表示範囲を決定することを特徴とする。
【００１１】
また本発明は、前記広告料金管理部は、広告主に対する広告料金の徴収処理を行った後、広告表示範囲決定部によって新たな広告表示範囲が決定されると、決定された新たな広告表示範囲に基づいて新たな広告料金を算出し、算出した新たな広告料金と徴収処理済みの広告料金との差額を、広告主に対して返金処理することを特徴とする。
【００１２】
また本発明は、前記広告料金管理部は、広告料金に対応付けられた利用度数を予め設定しておき、広告主に対する広告料金の徴収処理および返金処理を、利用度数の減算または加算によって行うことを特徴とする。
【００１３】
また本発明は、前記広告表示装置は、広告表示要求情報を受信することができる表示送受信部をさらに含み、前記表示送受信部によって広告表示要求情報を受信すると、受信した広告表示要求情報を、表示通信部から前記広告管理装置の管理通信部へ送信することを特徴とする。
【００１４】
また本発明は、前記広告表示装置へ広告表示要求情報を送信する端末装置をさらに含んで構成され、
前記端末装置は、
広告主が入力操作によって広告の表示要求を行う入力部と、
広告表示装置との間で互いに情報の送受信が可能であり、入力部に入力された広告表示要求情報を、前記広告表示装置の表示送受信部へ送信する端末送受信部とを含むことを特徴とする。
【００１５】
また本発明は、前記広告表示装置は、広告情報を記憶する表示記憶部をさらに含み、管理通信部から送信された広告情報を表示受信部によって受信し、受信した広告情報を表示記憶部に記憶することを特徴とする。
【００１６】
また本発明は、広告を表す広告情報を表示部に表示させる広告表示段階と、前記表示部に表示させる広告情報を管理する広告管理段階とを含む広告表示方法であって、
前記広告管理段階は、
広告情報を記憶させる管理記憶工程と、
前記表示部に表示中の広告の数である表示広告数を記憶させる表示中広告記憶工程と、
広告主からの広告の表示要求に関する広告表示要求情報を受信する管理通信工程と、
前記管理通信工程によって広告表示要求情報が受信されると、前記表示中広告記憶工程で記憶された表示広告数に基づいて、広告情報を表示させる広告料金を算出し、算出した広告料金の徴収処理を広告主に対して行う広告料金管理工程と、
前記広告料金管理工程によって広告料金の徴収処理が行われると、前記表示広告数に基づいて、広告情報を表示させる表示部の領域の範囲である広告表示範囲を決定し、前記表示中広告記憶工程に記憶される表示広告数に１を加算させる広告表示範囲決定工程と、
前記管理記憶工程によって記憶された広告情報と、前記広告表示範囲決定工程によって決定された広告表示範囲に関する広告表示範囲情報とを、互いに関連付けた状態で広告表示装置へ送信する管理通信工程とを含み、
前記広告表示段階は、
前記管理通信工程によって送信された広告情報と広告表示範囲情報とを受信する表示通信工程と、
前記表示通信工程によって受信した広告表示範囲情報に従って、前記広告表示範囲情報に関連付けられている広告情報を表示部に表示する表示工程とを含むことを特徴とする広告表示方法である。
【発明の効果】
【００１７】
本発明によれば、広告表示システムは、広告を表す広告情報を表示部に表示させる広告表示装置と、表示部に表示させる広告情報を管理する広告管理装置とを含んで構成される。広告管理装置は、管理記憶部と、表示中広告記憶部と、管理通信部と、広告表示範囲決定部と、広告料金管理部と、管理通信部とを含む。管理記憶部によって、広告情報が記憶される。表示中広告記憶部によって、表示部に表示中の広告の数である表示広告数が記憶される。管理通信部によって、広告主からの広告の表示要求に関する広告表示要求情報が受信される。管理通信部によって広告表示要求情報が受信されると、広告料金管理部によって、表示中広告記憶部に記憶される表示広告数に基づいて、広告情報を表示させる広告料金が算出され、算出された広告料金の徴収処理が広告主に対して行われる。広告料金管理部によって広告料金の徴収処理が行われると、広告表示範囲決定部によって、表示広告数に基づいて、広告情報を表示させる表示部の領域の範囲である広告表示範囲が決定され、表示中広告記憶部に記憶される表示広告数に１が加算される。管理通信部は、広告表示装置との間で互いに通信可能である。管理通信部によって、管理記憶部に記憶される広告情報と、広告表示範囲決定部によって決定された広告表示範囲に関する広告表示範囲情報とが、互いに関連付けた状態で広告表示装置へ送信される。広告表示装置は、示通信部と、表示部とを含む。表示通信部は、管理通信部との間で互いに通信可能である。表示通信部によって、管理通信部が送信した広告情報と広告表示範囲情報とが受信される。表示部によって、表示通信部によって受信した広告表示範囲情報に従って、広告表示範囲情報に関連付けられている広告情報が表示される。
【００１８】
広告表示範囲決定部は、広告主からの広告表示要求情報を受けると、表示中の広告の数に基づいて、広告情報の広告表示範囲を決定する。これによって、広告表示システムは、広告主が表示を希望した広告情報を、表示部に表示中の広告の数によって重み付けされた領域の範囲で、表示部に表示することができる。したがって、広告表示システムは、広告表示要求に応答して、広告主の希望する時間帯かつ希望する広告表示装置に、広告情報を迅速に表示させることができる。
【００１９】
また、広告料金管理部は、表示中の広告の数に基づいて、広告情報を表示させる広告料金を算出する。これによって、広告表示システムは、広告表示範囲、すなわち広告情報を表示させる表示部の領域の面積によって重み付けされた広告料金を、広告主から徴収することができる。
【００２０】
また本発明によれば、広告表示範囲決定部によって、表示部に広告情報が表示されている状態のときに広告表示要求情報を受信すると、表示部に表示させるべき広告の数によって表示部の領域が分割され、分割された各領域に広告情報をそれぞれ表示させるとする新たな広告表示範囲が決定される。
【００２１】
これによって、広告表示システムは、複数の広告表示要求があるときに、表示部の領域を分割して、複数の広告情報を同時に表示部に表示させることができる。したがって、広告表示システムは、広告主の希望する時間帯に、確実に広告情報を表示させることができる。
【００２２】
また、新たな広告表示要求があるごとに、広告表示範囲決定部によって、新たな広告表示範囲が決定されるので、広告表示システムは、広告主からの広告表示要求を常時受付けることができる。したがって、広告表示システムは、予め定められた広告を表示するスケジュールに従って広告を表示させるのではなく、広告主からの広告表要求を受けると、速やかに広告を表示させることができる。
【００２３】
また本発明によれば、広告料金管理部によって、広告主に対する広告料金の徴収処理を行った後、広告表示範囲決定部によって新たな広告表示範囲が決定されると、決定された新たな広告表示範囲に基づいて新たな広告料金が算出され、算出された新たな広告料金と徴収処理済みの広告料金との差額が、広告主に対して返金処理される。
【００２４】
広告料金管理部は、広告表示範囲によって重み付けられた適切な広告料金を常に算出し、広告主に対して広告料金の返金処理を行う。これによって、広告主から広告表示要求があるごとに、表示部の表示領域が分割されて、広告１つ当たりの表示領域の面積が分割前よりも小さくなるけれども、広告表示システムは、広告主へ広告料金を適切に返金することができる。
【００２５】
また本発明によれば、広告料金管理部によって、広告料金に対応付けられた利用度数が予め設定され、広告主に対する広告料金の徴収処理および返金処理が、利用度数の減算または加算によって行われる。
【００２６】
これによって、広告主は、現金よりも取り扱いが容易な利用度数によって、広告料金の支払いをすることができる。たとえば広告表示システムは、広告主に対して、利用度数を前払いで販売しておくことによって、広告主が広告の表示要求を行った後、広告料金を決済する処理時間を可及的に少なくして、速やかに広告を表示することができる。
【００２７】
また本発明によれば、広告表示装置は、広告表示要求情報を受信することができる表示送受信部をさらに含む。表示送受信部によって広告表示要求情報を受信すると、受信した広告表示要求情報が、表示通信部から広告管理装置の管理通信部へ送信される。
【００２８】
これによって、広告主は、広告表示装置が設置されている場所、周囲の状況、通行人の数などを実際に確認して、その広告表示装置に対して広告の表示要求を行うことができる。たとえば広告主は、自己の店舗の来客者が少ないときに、店舗の近傍に設置されている広告表示装置のうち通行人の多い広告表示装置のみに対して広告を表示させるなど、集客活動を効果的に行うことができる。
【００２９】
また本発明によれば、広告表示システムは、広告表示装置へ広告表示要求情報を送信する端末装置をさらに含んで構成される。端末装置は、入力部と、端末送受信部とを含む。入力部によって、広告主の入力操作による広告の表示要求が行われる。端末送受信部は、広告表示装置との間で互いに情報の送受信が可能である。端末送受信部によって、入力部に入力された広告表示要求情報が、広告表示装置の表示送受信部へ送信される。
【００３０】
これによって、広告主は、広告表示装置に対して、端末装置を用いて容易に広告表示要求を行うことができる。したがって、広告表示システムは、広告主からの広告表示要求に係る処理時間を少なくして、広告主が広告の表示を希望した時から可及的速やかに広告を表示させることができる。
【００３１】
また本発明によれば、広告表示装置は、広告情報を記憶する表示記憶部をさらに含む。管理通信部から送信された広告情報が表示受信部によって受信され、受信された広告情報が表示記憶部に記憶される。
【００３２】
これによって、広告表示装置は、過去に表示した広告情報を記憶することができる。したがって、広告表示システムは、表示記憶部に記憶されている広告情報に対して広告主が広告表示要求を行ったとき、広告管理装置から広告情報を受信することなく、速やかに広告を表示させることができる。
【００３３】
また本発明によれば、広告表示方法は、広告を表す広告情報を表示部に表示させる広告表示段階と、表示部に表示させる広告情報を管理する広告管理段階とを含む。広告管理段階は、管理記憶工程と、表示中広告記憶工程と、管理通信工程と、広告表示範囲決定工程と、料金管理工程と、管理通信工程とを含む。管理記憶工程では、広告情報が記憶される。表示中広告記憶工程では、表示部に表示中の広告の数である表示広告数が記憶される。管理通信工程では、広告主からの広告の表示要求に関する広告表示要求情報が受信される。管理通信工程で広告表示要求情報が受信されると、広告料金管理工程では、表示中広告記憶工程に記憶される表示広告数に基づいて、広告情報を表示させる広告料金が算出され、算出された広告料金の徴収処理が広告主に対して行われる。広告料金管理工程で広告料金の徴収処理が行われると、広告表示範囲決定工程では、表示広告数に基づいて、広告情報を表示させる表示部の領域の範囲である広告表示範囲が決定され、表示中広告記憶工程で記憶された表示広告数に１が加算される。管理通信工程では、管理記憶工程で記憶された広告情報と、広告表示範囲決定工程で決定された広告表示範囲に関する広告表示範囲情報とが、互いに関連付けた状態で広告表示装置へ送信される。広告表示段階は、表示通信工程と、表示工程とを含む。表示通信工程では、管理通信工程で送信された広告情報と広告表示範囲情報とが受信される。表示工程では、表示通信工程で受信した広告表示範囲情報に従って、広告表示範囲情報に関連付けられている広告情報が表示部に表示される。
【００３４】
広告表示範囲決定工程では、広告主からの広告表示要求情報を受けると、表示中の広告の数に基づいて、広告情報の広告表示範囲が決定される。これによって、広告表示方法では、広告主が表示を希望した広告情報を、表示部に表示中の広告の数によって重み付けされた領域の範囲で、表示部に表示させることができる。したがって、広告表示方法では、広告表示要求に応答して、広告主の希望する時間帯かつ希望する広告表示部に、広告情報を迅速に表示させることができる。
【００３５】
また、料金管理工程では、表示中の広告の数に基づいて、広告情報を表示させる広告料金が算出される。これによって、広告表示方法では、広告表示範囲、すなわち広告情報を表示させる表示部の領域の面積によって重み付けされた広告料金を、広告主から徴収することができる。
【図面の簡単な説明】
【００３６】
【図１】本発明の第１実施形態に係る広告表示システム１の構成を示すブロック図である。
【図２】広告管理サーバ２の構成を示すブロック図である。
【図３】広告表示ディスプレイ３の構成を示すブロック図である。
【図４】リモコン装置４の構成を示すブロック図である。
【図５】広告表示システム１が広告データを表示させる処理手順を説明するための図である。
【図６】広告表示システム１が２つの広告データを表示させる処理手順を説明するための図である。
【図７】広告表示システム１が３つの広告データを表示させる処理手順を説明するための図である。
【図８】広告表示システム１が行う広告表示を説明するためのタイムチャートである。
【図９】広告表示ディスプレイ３での処理を説明するためのフローチャートである。
【図１０】広告管理サーバ２での処理を説明するためのフローチャートである。
【図１１】リモコン装置４での処理を説明するためのフローチャートである。
【図１２】本発明の第２実施形態に係る広告表示システム１の広告管理サーバ２での処理を説明するためのフローチャートである。
【図１３】従来の技術に係る広告システム５１の構成を示すブロック図である。
【発明を実施するための形態】
【００３７】
（第１実施形態）
図１は、本発明の第１実施形態に係る広告表示システム１の構成を示すブロック図である。広告表示システム１は、広告情報である広告データを表示させるシステムであり、広告管理装置である広告管理サーバ２と、広告表示装置である広告表示ディスプレイ３と、端末装置であるリモコン装置４とを含んで構成される。広告データは、静止画像または動画像などを表す映像情報と、音声情報とからなり、たとえば商品または興行物などを多くの人に知らしめるための広告を表す情報である。１つの広告は、１つの広告データによって構成される。本発明に係る広告表示方法は、広告表示システム１によって実行される。
【００３８】
広告管理サーバ２と、各広告表示ディスプレイ３とは、たとえばインターネットなどの通信回線網６によって接続され、互いに通信を行うことができる。リモコン装置４と広告表示ディスプレイ３とは、無線によって互いに通信を行うことができる。図１に示した広告表示システム１は、３つの広告表示ディスプレイ３を含んで構成されているけれども、このような構成に限らず１以上の任意の数の広告表示ディスプレイ３を含んで構成させることができる。
【００３９】
広告表示システム１は、広告主からの広告の表示要求に応じて広告データを表示部に表示させる。広告主から広告代理店に広告料金が支払われると、広告代理店は、広告データを作成し、作成した広告データを広告管理サーバ２に登録する。広告主は、広告代理店からリモコン装置４を受取り、このリモコン装置４を用いて、特定の広告表示ディスプレイ３に対して、自己の広告の表示要求を行う。広告表示要求を受けた広告表示ディスプレイ３は、広告データを表示させる。
【００４０】
図２は、広告管理サーバ２の構成を示すブロック図である。広告管理サーバ２は、半導体メモリおよびハードディスク装置などの図示しない記憶装置と、図示しない中央処理装置（Central Processing Unit：以下「ＣＰＵ」という）とを含むコンピュータシステムによって構成される。広告管理サーバ２は、たとえば広告代理店などに設置され、広告表示ディスプレイ３に表示させる各広告データを管理し、広告データを表示させるのに必要な料金である広告料金の決済処理を行う。
【００４１】
広告管理サーバ２は、サーバ中央処理部１１と、広告表示範囲決定部１２と、広告料金管理部１３と、管理記憶部１４と、表示中広告記憶部１５と、管理通信部１６とを含んで構成される。広告管理サーバ２の記憶装置には、広告管理サーバ２を制御するための制御プログラムが格納される。サーバ中央処理部１１は、制御プラグラムを実行することによって、管理通信部１６、広告表示範囲決定部１２、広告料金管理部１３、管理記憶部１４、および表示中広告記憶部１５を制御する。
【００４２】
管理記憶部１４は、広告主を識別するための識別情報であるＩＤ（Identification）、広告料金残金額、および広告データなどの情報を、互いに関連付けられた状態で記憶する。「ＩＤ」は、広告主に関連付けられ、広告主を個別認識するための情報である。「広告料金残金額」とは、広告主が先払いしている広告料金の残金額のことである。
【００４３】
たとえば管理記憶部１４は、広告主ＡのＩＤ２１、広告主Ａの広告料金残金額２２、および広告主Ａの広告データ２３を、互いに関連付けた状態で記憶し、広告主ｎのＩＤ２４、広告主ｎの広告料金残金額２５、および広告主ｎの広告データ２６を、互いに関連付けた状態で記憶する。「ｎ」は、自然数を表し、管理記憶部１４は、複数の広告主ごとに、ＩＤ、広告料金残金額、および広告データを互いに関連付けた状態で記憶する。
【００４４】
表示中広告記憶部１５は、広告表示ディスプレイ３に現在表示されている広告の数である表示広告数と、現在表示されている広告の広告主のＩＤとを記憶する。たとえば表示中広告記憶部１５は、表示広告数２７、広告主ＡのＩＤ２１、および広告主ｎのＩＤ２４を記憶する。表示中広告記憶部１５は、複数の広告表示ディスプレイ３について、表示広告数、および広告主のＩＤをそれぞれ記憶する。
【００４５】
広告料金管理部１３は、管理通信部１６によって広告表示要求情報が受信されると、表示中広告記憶部１５に記憶される表示広告数に基づいて、広告データを表示させる広告料金を算出する。「広告表示要求情報」とは、広告の表示要求に関する情報であり、広告主のＩＤなどの情報が含まれる。広告料金管理部１３は、算出した広告料金の徴収処理を広告主に対して行う。
【００４６】
広告表示範囲決定部１２は、広告料金管理部１３によって広告料金の徴収処理が行われると、表示中広告記憶部１５に記憶される表示広告数に基づいて、広告データごとに広告表示範囲を決定する。「広告表示範囲」とは、広告データを広告表示ディスプレイ３に表示させるときに、表示領域のどの範囲に広告データを表示させるのかを示す情報である。
【００４７】
管理通信部１６は、広告表示ディスプレイ３との間で互いに通信可能であり、広告表示ディスプレイ３から送信された広告表示要求情報を受信する。また管理通信部１６は、広告データ、広告表示範囲およびＩＤなどの情報を、互いに関連付けた状態で広告表示ディスプレイ３へ送信する。
【００４８】
図３は、広告表示ディスプレイ３の構成を示すブロック図である。広告表示ディスプレイ３は、表示部３１と、ディスプレイ中央処理部３２と、広告記憶部３３と、広告表示範囲管理部３４と、表示送受信部３５と、表示通信部３６とを含んで構成される。さらに広告表示ディスプレイ３は、半導体メモリおよびハードディスク装置などの図示しない記憶装置と、図示しないＣＰＵとを含むコンピュータシステムを含んで構成される。記憶装置には、広告表示ディスプレイ３を制御するための制御プログラムが格納される。
【００４９】
ディスプレイ中央処理部３２は、制御プラグラムを実行することによって、表示部３１、広告記憶部３３、広告表示範囲管理部３４、表示送受信部３５、および表示通信部３６を制御する。ディスプレイ中央処理部３２には、時計手段３７が含まれ、この時計手段３７は、たとえばＲＴＣ（Real Time Clock）などによって実現される。
【００５０】
表示部３１は、たとえば液晶ディスプレイ、プラズマディスプレイ、有機ＥＬ（
Organic Electro Luminescence）ディスプレイ、発光ダイオード、映像プロジェクタ、またはブラウン管などによって実現され、広告データを表示する。
【００５１】
広告記憶部３３は、広告管理サーバ２から送信された広告データと広告主のＩＤとを、互いに関連付けられた状態で記憶する。たとえば広告記憶部３３は、広告主Ａの広告データ２３、および広告主ｎの広告データ２６を記憶する。広告表示範囲管理部３４は、広告表示範囲に関する広告表示範囲情報と広告主のＩＤとを互いに関連付けた状態で記憶して管理する。
【００５２】
表示送受信部３５は、たとえば無線通信によって、リモコン装置４との間で互いに情報の送受信を行う。表示送受信部３５は、リモコン装置４から送信された広告主のＩＤなどの情報を受信する。表示通信部３６は、広告管理サーバ２の管理通信部１６との間で互いに通信可能であり、データの送受信を行う。表示通信部３６は、管理通信部１６によって送信された広告データ、広告表示範囲情報、および広告主のＩＤを受信する。
【００５３】
他の実施形態では、広告表示ディスプレイ３は、図示しないスピーカを含み、広告データに含まれる音声情報を、このスピーカによって再生する構成であってもよい。したがって、広告表示ディスプレイ３は、広告データの映像情報を表示することに加えて音声情報をも再生することによって、広告の視聴者への訴求効果をさらに高めることができる。
【００５４】
図４は、リモコン装置４の構成を示すブロック図である。リモコン装置４は、リモコン表示部４１と、入力部４２と、リモコン中央処理部４３と、ＩＤ格納メモリ４４と、端末送受信部であるリモコン送受信部４５とを含んで構成される。さらにリモコン装置４は、半導体メモリなどの図示しない記憶装置と、図示しないマイクロプロセッサ（
Microprocessor）とを含んで構成される。
【００５５】
この記憶装置には、リモコン装置４を制御するための制御プログラムが格納される。リモコン中央処理部４３は、制御プラグラムを実行することによって、リモコン表示部４１、入力部４２、ＩＤ格納メモリ４４、およびリモコン送受信部４５を制御する。
【００５６】
リモコン表示部４１は、液晶ディスプレイなどによって実現され、広告管理サーバ２および広告表示ディスプレイ３から送信された情報を表示させる。この送信される情報は、広告管理サーバが管理する広告料金残金額、広告表示要求に対する結果などである。広告主が広告表示要求を行うと、広告管理サーバ２によって広告データを表示させるか否かが判断される。「広告表示要求に対する結果」とは、広告管理サーバ２の判断結果のことである。
【００５７】
入力部４２は、たとえばキーボード、入力ボタンなどによって実現され、広告主が広告表示要求を行うための入力操作を行う。ＩＤ格納メモリ４４は、リモコン装置４を所持する広告主のＩＤを記憶する。これによって、広告主は、リモコン装置４を用いて広告表示要求を行うときに、ＩＤを入力する必要がなくなる。
【００５８】
リモコン送受信部４５は、広告表示ディスプレイ３の表示送受信部３５との間で情報の送受信が可能である。たとえばリモコン送受信部４５は、広告表示ディスプレイ３に広告表示要求情報を送信し、広告表示ディスプレイ３から広告料金残金額などの情報を受信する。
【００５９】
図５は、広告表示システム１が広告データを表示させる処理手順を説明するための図である。処理手順ａ１では、広告主Ａは、たとえば午後１２時３０分に、リモコン装置４によって広告表示ディスプレイ３へ広告表示要求情報を送信する。広告表示要求情報には、広告主のＩＤなどの情報が含まれる。広告表示ディスプレイ３は、午後１２時３０分の時点において、表示部３１に広告データを表示しておらず、広告主からの広告表示要求を受付けている。たとえば広告主Ａは、自己の店舗の来客者が少ないときに、リモコン装置４を用いて、広告表示を希望する広告表示ディスプレイ３に対して、広告表示要求を行うことができる。
【００６０】
処理手順ａ２では、広告表示ディスプレイ３は、リモコン装置４から広告主Ａの広告表示要求情報を受信すると、受信した広告表示要求情報を広告管理サーバ２へ送信する。広告管理サーバ２は、広告表示ディスプレイ３から広告表示要求情報を受信すると、広告主Ａの広告料金を前払い、すなわち広告データを表示する前に決済処理する。たとえば広告表示ディスプレイ３の全領域に広告を表示させる１回の広告料金が１２万円であるとすると、広告管理サーバ２は、広告主Ａの広告料金の残金額から１２万円を減算する。
【００６１】
処理手順ａ３では、広告管理サーバ２は、受信した広告表示要求情報に基づいて、広告主ＡのＩＤに関連付けられている広告データを、広告表示ディスプレイ３へ送信する。広告表示ディスプレイ３は、広告管理サーバ２から広告主Ａの広告データを受信し、受信した広告データを表示部３１の全領域に表示させる。
【００６２】
図６は、広告表示システム１が２つの広告データを表示させる処理手順を説明するための図である。処理手順ｂ１では、広告主Ｂは、たとえば午後１２時３１分に、リモコン装置４によって広告表示ディスプレイ３へ広告表示要求情報を送信する。広告表示ディスプレイ３は、午後１２時３１分の時点において、表示部３１の全領域に広告主Ａの広告データを表示しており、さらに他の広告主からの広告表示要求を受付けている。
【００６３】
処理手順ｂ２では、広告表示ディスプレイ３は、リモコン装置４から広告主Ｂの広告表示要求情報を受信すると、受信した広告表示要求情報を広告管理サーバ２へ送信する。広告管理サーバ２は、広告表示ディスプレイ３から広告表示要求情報を受信すると、広告主Ｂの広告料金を前払いで決済処理する。広告主Ａ，Ｂの広告表示要求を重複して受けたとき、広告表示ディスプレイ３は、表示部３１の表示領域を２分割して、広告主Ａ，Ｂの広告を同時に表示させる。
【００６４】
広告管理サーバ２は、各広告の表示領域の面積に応じて、各広告料金を算出する。広告主Ａ，Ｂのそれぞれの広告料金は、表示部３１の全表示領域が２分割されているので、「１２（万円）÷２＝６（万円）」となる。したがって、広告管理サーバ２は、広告主Ｂの広告料金残金額から６万円を減算する。さらに、広告管理サーバ２は、広告主Ａの過払いの広告料金を、「１２（万円）−６（万円）＝６（万円）」と算出する。広告管理サーバ２は、広告主Ａに過払いの広告料金を返却、すなわち広告主Ａの広告料金残金額に６万円を加算する。
【００６５】
処理手順ｂ３では、広告管理サーバ２は、受信した広告表示要求情報に基づいて、広告主ＢのＩＤに関連付けられている広告データを、広告表示ディスプレイ３へ送信する。広告表示ディスプレイ３は、広告管理サーバ２から広告主Ｂの広告データを受信し、広告主Ａ，Ｂの各広告データを表示部３１に同時に表示させる。
【００６６】
表示部３１に同時に表示させることが可能な広告の数である同時表示可能数は、表示部３１の大きさに応じて予め設定することができる。たとえば、広告表示ディスプレイ３が、６５Ｖ型などの大型の表示部３１を有する場合、同時表示可能数を９に設定し、３２Ｖ型などの小型の表示部３１を有する場合、同時表示可能数を４に設定する。これによって、広告表示システム１は、広告の視聴者に対して、広告を適切に視聴させることができる。
【００６７】
図７は、広告表示システム１が３つの広告データを表示させる処理手順を説明するための図である。処理手順ｃ１では、広告主Ｃは、たとえば午後１２時３２分に、リモコン装置４によって広告表示ディスプレイ３へ広告表示要求情報を送信する。広告表示ディスプレイ３は、午後１２時３２分の時点において、表示部３１の領域を２分割して広告主Ａ，Ｂの広告を同時に表示しており、さらに他の広告主からの広告表示要求を受付けている。
【００６８】
処理手順ｃ２では、広告表示ディスプレイ３は、リモコン装置４から広告主Ｃの広告表示要求情報を受信すると、受信した広告表示要求情報を広告管理サーバ２へ送信する。広告管理サーバ２は、広告表示ディスプレイ３から広告表示要求情報を受信すると、広告主Ｃの広告料金を前払いで決済処理する。広告主Ａ，Ｂ，Ｃの広告表示要求を重複して受けているので、広告表示ディスプレイ３は、表示部３１の表示領域を３分割して、広告主Ａ，Ｂ，Ｃの各広告を同時に表示させる。
【００６９】
広告管理サーバ２は、各広告の表示領域の面積に応じて、各広告料金を算出する。広告主Ａ，Ｂ，Ｃのそれぞれの広告料金は、表示部３１の全表示領域が３分割されているので、「１２（万円）÷３＝４（万円）」となる。したがって、広告管理サーバ２は、広告主Ｃの広告料金残金額から４万円を減算する。さらに、広告管理サーバ２は、広告主Ａ，Ｂの過払いの広告料金を、「６（万円）−４（万円）＝２（万円）」と算出する。広告管理サーバ２は、広告主Ａ，Ｂの各広告料金残金額に２万円を加算する。
【００７０】
処理手順ｃ３では、広告管理サーバ２は、受信した広告表示要求情報に基づいて、広告主ＣのＩＤに関連付けられている広告データを、広告表示ディスプレイ３へ送信する。広告表示ディスプレイ３は、広告管理サーバ２から広告主Ｃの広告データを受信し、広告主Ａ，Ｂ，Ｃの各広告データを表示部３１に同時に表示させる。表示部３１の表示領域は、各表示領域の面積が等しくなるように分割され、分割された各表示領域に各広告データが表示される。
【００７１】
図８は、広告表示システム１が行う広告表示を説明するためのタイムチャートである。図８において、広告主Ａの広告の表示状態を参照符４６で示し、広告主Ｂの広告の表示状態を参照符４７で示し、広告主Ｃの広告の表示状態を参照符４８で示す。さらに、表示部３１での広告の表示状態を参照符４９で示し、時刻の経過を横軸のｔで表わす。以下に、図５〜図７を示して説明した各広告の表示について、順次的に説明する。
【００７２】
広告表示ディスプレイ３は、１２時３０分まで広告データの表示を行っていない。１２時３０分になると、広告表示システム１は、広告主Ａから広告表示要求を受け、広告主Ａの広告データＡを表示させる。広告表示ディスプレイ３には、表示部３１の全領域に広告データＡが表示される。広告管理サーバ２は、広告表示ディスプレイ３の全表示領域分の広告料金として１２万円を、広告主Ａの広告料金残金額から減算する。
【００７３】
１２時３１分になると、広告表示システム１は、広告主Ｂから広告表示要求を受け、広告主Ａの広告データＡおよび広告主Ｂの広告データＢを、同時に表示させる。広告表示ディスプレイ３は、表示部３１の表示領域を２分割し、２分割した各表示領域に広告データＡ，Ｂをそれぞれ表示させる。広告管理サーバ２は、広告表示ディスプレイ３の半分の表示領域分の広告料金として６万円を、広告主Ｂから徴収する。さらに広告管理サーバ２は、過払いの広告料金として６万円を、広告主Ａに返金する。
【００７４】
１２時３２分になると、広告表示システム１は、広告主Ｃから広告表示要求を受け、広告主Ａの広告データＡ、広告主Ｂの広告データＢおよび広告主Ｃの広告データＣを、同時に表示させる。広告表示ディスプレイ３は、表示部３１の表示領域を３分割し、３分割した各表示領域に広告データＡ，Ｂ，Ｃをそれぞれ表示させる。広告管理サーバ２は、広告表示ディスプレイ３の３分の１の表示領域分の広告料金として４万円を、広告主Ｃから徴収する。さらに広告管理サーバ２は、過払いの広告料金として２万円を、広告主Ａ，Ｂにそれぞれ返金する。
【００７５】
図９は、広告表示ディスプレイ３での処理を説明するためのフローチャートである。広告表示ディスプレイ３がリモコン装置４からの広告表示要求情報を受信可能な状態になると、ステップｄ０に進んで、処理が開始される。
【００７６】
ステップｄ１では、広告表示ディスプレイ３は、リモコン装置４からの広告表示要求情報を受信したか否かを判定する。具体的には、広告表示ディスプレイ３のディスプレイ中央処理部３２は、リモコン送受信部４５から送信された広告表示要求情報を、表示送受信部３５が受信したか否かを判定する。ディスプレイ中央処理部３２によって、広告表示要求情報を受信したと判定された場合、ステップｄ２に進み、広告表示要求情報を受信していないと判定された場合、再びステップｄ１での処理が行われる。
【００７７】
ステップｄ２では、広告表示ディスプレイ３は、リモコン装置４から広告主のＩＤを受信する。表示送受信部３５は、リモコン送受信部４５から送信された広告主のＩＤを受信し、受信した広告主のＩＤを、ディスプレイ中央処理部３２を介して表示通信部３６へ送る。ステップｄ３では、広告表示ディスプレイ３は、受信した広告主のＩＤを、広告管理サーバ２へ送信する。表示通信部３６は、受取った広告主のＩＤを、管理通信部１６へ送る。
【００７８】
ステップｄ４では、広告表示ディスプレイ３は、広告管理サーバ２からの情報を受信したか否かを判定する。具体的には、ディスプレイ中央処理部３２は、表示通信部３６が管理通信部１６からの情報を受信したか否かを判定する。ディスプレイ中央処理部３２によって、管理通信部１６からの情報を受信したと判定された場合、ステップｄ５に進み、管理通信部１６からの情報を受信していないと判定された場合、再びステップｄ４での処理が行われる。
【００７９】
ステップｄ５では、広告表示ディスプレイ３は、広告管理サーバ２によって広告表示要求が許諾されたか否かを判定する。広告管理サーバ２が行う広告表示要求の許諾または拒否については、後に図１０を用いて詳述する。ディスプレイ中央処理部３２は、表示通信部３６が広告表示要求に対する許諾または拒否に関する情報を受信したか否かを判定する。ディスプレイ中央処理部３２によって、広告表示要求に対する許諾の情報が受信されたと判定された場合、ステップｄ６に進み、広告表示要求に対する拒否の情報が受信されたと判定された場合、ステップｄ１１に進む。
【００８０】
ステップｄ６では、広告表示ディスプレイ３の表示通信部３６は、広告管理サーバ２の管理通信部１６から送信された広告データを受信する。ステップｄ６，ｄ８は、表示通信工程である。ステップｄ７では、ディスプレイ中央処理部３２は、表示通信部３６によって受信された広告データを、広告記憶部３３に記憶させる。
【００８１】
ステップｄ８では、広告表示ディスプレイ３の表示通信部３６は、広告管理サーバ２の管理通信部１６から送信された広告表示範囲情報を受信する。ステップｄ９では、ディスプレイ中央処理部３２は、表示通信部３６によって受信された広告表示範囲情報を、広告表示範囲管理部３４に記憶させる。ステップｄ１０では、広告表示ディスプレイ３の表示送受信部３５は、リモコン装置４のリモコン送受信部４５に、広告表示要求が広告管理サーバ２によって許容されたことを表す情報を送信して、ステップｄ１３に進む。
【００８２】
ステップｄ１１では、広告表示ディスプレイ３の表示送受信部３５は、リモコン装置４のリモコン送受信部４５に、広告表示要求が広告管理サーバ２によって拒否されたことを表す情報を送信する。ステップｄ１２では、ディスプレイ中央処理部３２は、表示部３１に広告データが表示されているか否かを判定する。ディスプレイ中央処理部３２によって、表示部３１に広告データが表示されていると判定された場合、ステップｄ１３に進み、表示部３１に広告データが表示されていないと判定された場合、ステップｄ１に進む。
【００８３】
表示工程であるステップｄ１３では、ディスプレイ中央処理部３２は、広告表示範囲管理部３４に記憶される広告表示範囲情報に従って、広告記憶部３３に記憶される広告データを、表示部３１に表示させる。広告表示範囲情報と広告データとは、互いに関連付けられており、複数の広告データを表示させるときには、各広告表示範囲情報に従って、各広告データが表示される。
【００８４】
ステップｄ１４では、前述したステップｄ１と同様の処理によって、ディスプレイ中央処理部３２が、リモコン装置４から広告表示要求情報を受信したか否かを判定する。ディスプレイ中央処理部３２によって、広告表示要求情報を受信したと判定された場合、ステップｄ２に進み、広告表示要求情報を受信していないと判定された場合、ステップｄ１５に進む。
【００８５】
ステップｄ１５では、ディスプレイ中央処理部３２は、表示部３１に表示中の広告データが、表示完了時刻になったか否かを判定する。ディスプレイ中央処理部３２は、時計手段３７によって現在の時刻を把握して、現在の時刻が表示中の広告データの表示完了時刻であるか否かを判定する。ディスプレイ中央処理部３２によって、表示完了時刻を迎えた広告データがないと判定された場合、ステップｄ１３に進み、表示完了時刻を迎えた広告データがあると判定された場合、表示完了時刻を迎えた広告データの表示を終了させて、ステップｄ１６に進んで処理が終了する。
【００８６】
図１０は、広告管理サーバ２での処理を説明するためのフローチャートである。管理記憶工程によって、広告データが記憶され、表示中広告記憶工程によって、表示部３１に表示中の広告の数が記憶される。広告管理サーバ２が広告表示ディスプレイ３からの広告表示要求を受信可能な状態になると、ステップｅ０に進んで処理が開始される。
【００８７】
ステップｅ１では、広告管理サーバ２は、広告表示ディスプレイ３からの広告表示要求情報を受信したか否かを判定する。具体的には、広告管理サーバ２のサーバ中央処理部１１は、表示通信部３６から送信された広告表示要求情報を、管理通信部１６が受信したか否かを判定する。サーバ中央処理部１１によって、広告表示要求情報を受信したと判定された場合、ステップｅ２に進み、広告表示要求情報を受信していないと判定された場合、再びステップｅ１での処理が行われる。
【００８８】
管理通信工程であるステップｅ２では、広告管理サーバ２の管理通信部１６は、広告表示ディスプレイ３の表示通信部３６から広告主のＩＤを受信する。ステップｅ３では、広告料金管理部１３は、表示中広告記憶部１５から表示広告数を呼び出す。
【００８９】
ステップｅ４では、広告料金管理部１３は、表示中広告記憶部１５から表示広告数を読み出して、既表示広告があるか否かを判定する。「既表示広告」とは、表示部３１に現在表示されている広告のことをいう。広告料金管理部１３によって、既表示広告があると判定された場合、ステップｅ５に進み、広告料金管理部１３によって、既表示広告がないと判定された場合、ステップｅ１４に進む。
【００９０】
ステップｅ５では、広告料金管理部１３は、全画面表示料金を「Ｐ」と設定する。「全画面表示料金」とは、表示部３１の全領域に広告データを表示させるのに必要な広告料金のことをいう。ステップｅ５〜ｅ１２，ｅ１４〜ｅ１６，ｅ２０は、広告料金管理工程である。
【００９１】
ステップｅ６では、広告料金管理部１３は、表示広告数を「ｎ」と設定する。ステップｅ７では、広告料金管理部１３は、広告１つ当たりの広告料金を「Ｐ÷（ｎ＋１）」によって算出する。ステップｅ８では、広告料金管理部１３は、広告主のＩＤに関連付けられている広告料金残金額を、管理記憶部１４から呼び出す。
【００９２】
ステップｅ９では、広告料金管理部１３は、広告主の広告料金の残高があるか否か、すなわち広告主の広告料金残金額の残高が、ステップｅ７で算出した広告１つ当たりの料金よりも多いか否かを判定する。広告料金管理部１３によって、広告主の広告料金の残高があると判定された場合、ステップｅ１０に進み、広告主の広告料金の残高がないと判定された場合、ステップｅ１７に進む。
【００９３】
ステップｅ１０では、広告料金管理部１３は、既広告表示広告主への返金料金を「｛１÷ｎ−１÷（ｎ＋１）｝×Ｐ」によって算出する。「既広告表示広告主」とは、表示部３１に現在表示されている広告の広告主のことをいう。ステップｅ１１では、広告料金管理部１３は、既表示広告の広告主ＩＤを、表示中広告記憶部１５から呼び出す。
【００９４】
ステップｅ１２では、広告料金管理部１３は、ステップｅ１０で算出した返金料金を、既表示広告主へ返金する。この返金処理は、管理記憶部１４に記憶されている広告主の広告料金残金額に、返金料金を加算することによって行われる。
【００９５】
ステップｅ１３では、広告表示範囲決定部１２は、表示広告数に基づいて、広告データの広告表示範囲をそれぞれ決定する。この広告表示範囲とは、表示部３１の表示領域を「ｎ＋１」で分割した各領域に、広告データをそれぞれ表示させることを示す情報である。さらに広告表示範囲決定部１２は、表示中広告記憶部１５に記憶される表示広告数に１を加算して、ステップｅ１９に進む。ステップｅ１３，ｅ１８は、広告表示範囲決定工程である。
【００９６】
広告表示範囲決定部１２は、表示部３１に広告データが表示されている状態のときに広告表示要求情報を受信すると、表示部３１に表示させるべき広告の数、すなわち「ｎ＋１」に応じて、新たな広告表示範囲を決定する。この新たな広告表示範囲とは、「ｎ＋１」で表示部３１の領域を分割し、分割した各領域に広告データをそれぞれ表示させるとするものである。
【００９７】
ステップｅ１４では、広告料金管理部１３は、全画面表示料金を「Ｐ」と設定する。ステップｅ１５では、広告料金管理部１３は、広告主のＩＤに関連付けられている広告料金残金額を、管理記憶部１４から呼び出す。
【００９８】
ステップｅ１６では、広告料金管理部１３は、広告主の広告料金の残高があるか否か、すなわち広告主の広告料金残金額の残高が、全画面表示料金よりも多いか否かを判定する。広告料金管理部１３によって、広告主の広告料金の残高があると判定された場合、ステップｅ１８に進み、広告主の広告料金の残高がないと判定された場合、ステップｅ１７に進む。
【００９９】
ステップｅ１７では、サーバ中央処理部１１は、広告表示ディスプレイ３に広告表示要求の拒否を送信して、ステップｅ２に進む。この拒否の送信は、サーバ中央処理部１１の指示によって、管理送信部から広告表示ディスプレイ３の表示通信部３６へと、広告表示要求を拒否する旨の情報が送信されることによって行われる。
【０１００】
ステップｅ１８では、広告表示範囲決定部１２は、広告データの広告表示範囲を、表示領域の全領域であると決定する。さらに広告表示範囲決定部１２は、表示中広告記憶部１５に記憶される表示広告数に１を加算して、ステップｅ１９に進む。
【０１０１】
ステップｅ１９では、サーバ中央処理部１１は、広告表示ディスプレイ３に広告表示要求の許諾を送信して、ステップｅ２０に進む。この許諾の送信は、サーバ中央処理部１１の指示によって、管理送信部から広告表示ディスプレイ３の表示通信部３６へと、広告表示要求を許諾する旨の情報が送信されることによって行われる。
【０１０２】
ステップｅ２０では、広告料金管理部１３は、広告表示要求を行った広告主の広告料金残金額を減額する。具体的には、広告料金管理部１３は、ステップｅ２で受信した広告主ＩＤに関連付けて記憶されている広告料金残金額から、ステップｅ７で算出した広告１つ当たりの料金を減額する。
【０１０３】
ステップｅ２１では、サーバ中央処理部１１は、広告表示ディスプレイ３に追加の広告データを送信する。サーバ中央処理部１１は、ステップｅ２０で減額した広告料金残金額に関連付けて記憶されている広告データを、管理通信部１６から広告表示ディスプレイ３の表示通信部３６へ送信させる。
【０１０４】
ステップｅ２２では、サーバ中央処理部１１は、広告表示ディスプレイ３に広告データの広告表示範囲に関する広告表示範囲情報を送信する。サーバ中央処理部１１は、ステップｅ１３またはステップｅ１８おいて決定された広告表示範囲に関する広告表示範囲情報を、管理通信部１６から広告表示ディスプレイ３の表示通信部３６へ送信させる。
【０１０５】
ステップｅ２３では、サーバ中央処理部１１は、ステップｅ１での処理と同様に、広告表示ディスプレイ３からの広告表示要求情報を受信したか否かを判定する。サーバ中央処理部１１によって、広告表示要求情報を受信したと判定された場合、ステップｅ２に進み、広告表示要求情報を受信していないと判定された場合、ステップｅ２４に進む。
【０１０６】
ステップｅ２４では、サーバ中央処理部１１は、広告表示終了時刻になったか否かを判定する。サーバ中央処理部１１によって、広告表示終了時刻になったと判定された場合、ステップｅ２５に進んで処理が終了し、広告表示終了時刻になっていないと判定された場合、ステップｅ２３に進む。
【０１０７】
広告管理サーバ２では、広告主に対する広告料金の徴収処理を行った後に新たな広告表示要求を受けた場合、広告表示範囲決定部１２が、新たな広告表示範囲を決定する。広告料金管理部１３は、広告表示範囲決定部１２によって新たな広告表示範囲が決定されると、決定された新たな広告表示範囲に基づいて新たな広告料金を算出する。さらに広告料金管理部１３は、算出した新たな広告料金と徴収処理済みの広告料金との差額を、広告主に対して返金処理する。
【０１０８】
広告管理サーバ２は、広告主による新たな広告表示要求があるごとに、既表示広告の広告主に対して、過払いの広告料金を逐次返金する。広告管理サーバ２は、広告データの表示態様に応じた広告料金を広告主から徴収することができる。これによって、広告主は、返金されて増加した広告料金残高額を使用して、新たな広告表示要求を行うことが可能となる。また広告代理店は、広告表示ディスプレイ３に複数の広告データを表示させたときでも、複数の広告主から徴収する表示料金の合計額が一定であるので、安定した収入を得ることができる。
【０１０９】
図１１は、リモコン装置４での処理を説明するためのフローチャートである。リモコン装置４が広告主からの広告表示要求を受付け可能な状態になると、ステップｆ０に進んで処理が開始される。
【０１１０】
ステップｆ１では、リモコン装置４のリモコン中央処理部４３は、広告主が入力部４２への操作によって、広告表示要求を行ったか否かを判定する。リモコン中央処理部４３によって、広告表示要求があったと判定された場合、ステップｆ２に進み、リモコン中央処理部４３によって、広告表示要求がなかったと判定された場合、再びステップｆ１での処理が行われる。
【０１１１】
ステップｆ２では、リモコン中央処理部４３は、広告表示要求を行った広告主のＩＤを、ＩＤ格納メモリ４４から呼び出す。ステップｆ３では、リモコン中央処理部４３は、呼び出した広告主ＩＤを、広告表示ディスプレイ３に送信する。具体的には、リモコン中央処理部４３は、リモコン送受信部４５から広告表示ディスプレイ３の表示送受信部３５へ、広告主ＩＤを送信させる。
【０１１２】
ステップｆ４では、リモコン中央処理部４３は、広告表示ディスプレイ３からの情報をリモコン送受信部４５が受信したか否かを判定する。リモコン中央処理部４３によって、広告表示ディスプレイ３からの情報を受信したと判定した場合、ステップｆ５に進み、広告表示ディスプレイ３からの情報を受信していないと判定した場合、再びステップｆ４での処理が行われる。
【０１１３】
ステップｆ５では、リモコン中央処理部４３は、広告管理サーバ２によって広告表示要求が許諾されたか否かを判定する。リモコン中央処理部４３によって、広告管理サーバ２が広告表示要求を許諾したと判定された場合、ステップｆ６に進み、広告管理サーバ２が広告表示要求を許諾していない、すなわち拒否したと判定された場合、ステップｆ７に進む。
【０１１４】
ステップｆ６では、リモコン中央処理部４３は、広告表示要求が許諾されたことを、リモコン表示部４１に表示させ、ステップｆ８に進んで処理が終了する。ステップｆ７では、リモコン中央処理部４３は、広告表示要求が拒否されたことを、リモコン表示部４１に表示させ、ステップｆ８に進んで処理が終了する。広告主は、リモコン表示部４１の表示を見ることによって、広告表示要求が許諾または拒否されたことを容易に確認することができる。
【０１１５】
（第２実施形態）
図１２は、本発明の第２実施形態に係る広告表示システム１の広告管理サーバ２での処理を説明するためのフローチャートである。本実施形態に係る広告表示システム１は、第１実施形態に係る広告表示システム１と同一の構成であるので同一の参照符を付し、重複を防ぐために説明を省略する。
【０１１６】
第１実施形態に係る広告管理サーバ２は、新たな広告主による新たな広告表示要求があるごとに、既表示広告の広告主に対して、過払いの広告料金を逐次返金する処理を行う。これに対して、本実施形態に係る広告管理サーバ２は、広告データの表示後に、広告データを表示済みの広告主に対して、過払いの広告料金を一括して返金する処理を行う。
【０１１７】
管理記憶工程によって、広告データが記憶され、表示中広告記憶工程によって、表示部３１に表示中の広告の数が記憶される。広告管理サーバ２が広告表示ディスプレイ３からの広告表示要求を受信可能な状態になると、ステップｇ０に進んで処理が開始される。
【０１１８】
ステップｇ１では、広告管理サーバ２は、広告表示ディスプレイ３からの広告表示要求情報を受信したか否かを判定する。具体的には、広告管理サーバ２のサーバ中央処理部１１は、表示通信部３６から送信された広告表示要求情報を、管理通信部１６が受信したか否かを判定する。サーバ中央処理部１１によって、広告表示要求情報を受信したと判定された場合、ステップｇ２に進み、広告表示要求情報を受信していないと判定された場合、再びステップｇ１での処理が行われる。
【０１１９】
管理通信工程であるステップｇ２では、広告管理サーバ２の管理通信部１６は、広告表示ディスプレイ３の表示通信部３６から広告主のＩＤを受信する。ステップｇ３では、広告料金管理部１３は、表示中広告記憶部１５から表示広告数を呼び出す。
【０１２０】
ステップｇ４では、広告料金管理部１３は、表示中広告記憶部１５から表示広告数を読み出して、既表示広告があるか否かを判定する。広告料金管理部１３によって、既表示広告があると判定された場合、ステップｇ５に進み、広告料金管理部１３によって、既表示広告がないと判定された場合、ステップｇ１２に進む。
【０１２１】
ステップｇ５では、広告料金管理部１３は、全画面表示料金を「Ｐ」と設定する。「全画面表示料金」とは、表示部３１の全領域に広告を表示させるのに必要な広告料金のことをいう。ステップｇ５〜ｇ１０，ｇ１２，ｇ１３，ｇ２３〜ｇ２７は、広告料金管理工程である。ステップｇ６では、広告料金管理部１３は、表示広告数を「ｎ」と設定する。
【０１２２】
ステップｇ７では、広告料金管理部１３は、広告１つ当たりの広告料金を「Ｐ÷（ｎ＋１）」によって算出する。ステップｇ８では、広告料金管理部１３は、広告主のＩＤに関連付けられている広告料金残金額を、管理記憶部１４から呼び出す。
【０１２３】
ステップｇ９では、広告料金管理部１３は、広告主の広告料金の残高があるか否か、すなわち広告表示要求を行った広告主の広告料金残金額の残高が、ステップｇ７で算出した広告１つ当たりの料金よりも多いか否かを判定する。広告料金管理部１３によって、広告主の広告料金の残高があると判定された場合、ステップｇ１０に進み、広告主の広告料金の残高がないと判定された場合、ステップｇ１５に進む。
【０１２４】
ステップｇ１０では、広告料金管理部１３は、ステップｇ７で算出した広告１つ当たりの料金と、広告主ＩＤとを関連付けて管理記憶部１４に記憶させる。ステップｇ１１では、広告表示範囲決定部１２は、表示広告数に基づいて、広告データの広告表示範囲をそれぞれ決定する。この広告表示範囲とは、表示部３１の表示領域を「ｎ＋１」で分割した各領域に、広告データをそれぞれ表示させることを示す情報である。さらに広告表示範囲決定部１２は、表示中広告記憶部１５に記憶される表示広告数に１を加算して、ステップｇ１７に進む。ステップｇ１１，ｇ１６は、広告表示範囲決定工程である。
【０１２５】
ステップｇ１２では、広告料金管理部１３は、全画面表示料金を「Ｐ」と設定する。ステップｇ１３では、広告料金管理部１３は、広告主のＩＤに関連付けられている広告料金残金額を、管理記憶部１４から呼び出す。
【０１２６】
ステップｇ１４では、広告料金管理部１３は、広告主の広告料金の残高があるか否か、すなわち広告主の広告料金残金額の残高が、全画面表示料金よりも多いか否かを判定する。広告料金管理部１３によって、広告主の広告料金の残高があると判定された場合、ステップｇ１６に進み、広告主の広告料金の残高がないと判定された場合、ステップｇ１５に進む。
【０１２７】
ステップｇ１５では、サーバ中央処理部１１は、広告表示ディスプレイ３に広告表示要求の拒否を送信して、ステップｇ２に進む。この拒否の送信は、サーバ中央処理部１１の指示によって、管理送信部から広告表示ディスプレイ３の表示通信部３６へと、広告表示要求を拒否する旨の情報が送信されることによって行われる。
【０１２８】
ステップｇ１６では、広告表示範囲決定部１２は、広告データの広告表示範囲を、表示領域の全領域であると決定する。さらに広告表示範囲決定部１２は、表示中広告記憶部１５に記憶される表示広告数に１を加算して、ステップｇ１７に進む。
【０１２９】
ステップｇ１７では、サーバ中央処理部１１は、広告表示ディスプレイ３に広告表示要求の許諾を送信して、ステップｇ１８に進む。この許諾の送信は、サーバ中央処理部１１の指示によって、管理送信部から広告表示ディスプレイ３の表示通信部３６へと、広告表示要求を許諾する旨の情報が送信されることによって行われる。
【０１３０】
ステップｇ１８では、広告料金管理部１３は、広告表示要求を行った広告主の広告料金残金額を減額する。具体的には、広告料金管理部１３は、ステップｇ２で受信した広告主ＩＤに関連付けて記憶されている広告料金残金額から、ステップｇ７で算出した広告１つ当たりの料金を減額する。
【０１３１】
ステップｇ１９では、サーバ中央処理部１１は、広告表示ディスプレイ３に追加の広告データを送信する。サーバ中央処理部１１は、ステップｇ１８で減額した広告料金残金額に関連付けて記憶されている広告データを、管理通信部１６から広告表示ディスプレイ３の表示通信部３６へ送信させる。
【０１３２】
ステップｇ２０では、サーバ中央処理部１１は、広告表示ディスプレイ３に広告データの広告表示範囲に関する広告表示範囲情報を送信する。サーバ中央処理部１１は、ステップｇ１１またはステップｇ１６において決定された広告表示範囲に関する広告表示範囲情報を、管理通信部１６から広告表示ディスプレイ３の表示通信部３６へ送信させる。
【０１３３】
ステップｇ２１では、サーバ中央処理部１１は、ステップｇ１での処理と同様に、広告表示ディスプレイ３からの広告表示要求情報を受信したか否かを判定する。サーバ中央処理部１１によって、広告表示要求情報を受信したと判定された場合、ステップｇ２に進み、広告表示要求情報を受信していないと判定された場合、ステップｇ２２に進む。
【０１３４】
ステップｇ２２では、サーバ中央処理部１１は、広告表示終了時刻になったか否かを判定する。サーバ中央処理部１１によって、広告表示終了時刻になったと判定された場合、ステップｇ２３に進み、広告表示終了時刻になっていないと判定された場合、ステップｇ２１に進む。
【０１３５】
ステップｇ２３では、広告料金管理部１３は、既表示広告の広告主ＩＤを、表示中広告記憶部１５から呼び出す。ステップｇ２４では、広告料金管理部１３は、表示済みの広告に対して各広告主が支払った金額を、管理記憶部１４から呼び出す。ステップｇ２５では、広告料金管理部１３は、広告１つ当たりの広告料金を「Ｐ÷（ｎ＋１）」によって算出する。
【０１３６】
ステップｇ２６では、広告料金管理部１３は、ステップｇ２４において呼び出した金額と、ステップｇ２５において算出した料金との差額を算出する。ステップｇ２７では、広告料金管理部１３は、広告データを表示済みの各広告主に、ステップｇ２６において算出した金額を返金し、ステップｇ２８に進んで処理が終了する。この返金処理は、管理記憶部１４に記憶されている広告主の広告料金残金額に、返金料金を加算することによって行われる。
【０１３７】
本実施形態に係る広告管理サーバ２は、広告表示後に、広告表示済みの広告主に対して、過払いの広告料金を一括して返金する処理を行う。これによって、広告表示要求があるごとに逐次返金処理を行う場合に比べて、広告管理サーバ２の返金処理の負担を軽減させることができる。
【０１３８】
また第１実施形態では、料金徴収部は、たとえば日本円などの通貨によって広告料金を算出して、広告料金の徴収処理を行うけれども、本実施形態では、料金徴収部は、通貨そのものではなく、利用度数によって広告料金の徴収処理を行う。「利用度数」とは、たとえば１万円を１ポイントなどのように通貨と対応付けて予め設定され、広告料金の徴収および返却に使用されるものである。
【０１３９】
たとえば表示部３１の全領域に広告を表示させるのに必要な広告料金が１２万円であるとすると、この広告料金に対応する利用度数は、１２ポイントとなる。広告管理サーバ２の管理記憶部１４は、通貨に対応する利用度数によって広告料金残金額を記憶する。広告管理サーバ２は、たとえば広告主の広告料金の徴収処理において、広告料金残金額から１２ポイントを減算するなどの処理を行う。
【０１４０】
広告主は、前払いで利用度数を購入し、広告管理サーバが各広告主の広告料金残金額を利用度数によって管理する。これによって、広告主は、自己の広告料金残金額を容易に管理することができる。
【０１４１】
本実施形態では、広告表示システム１は、リモコン装置４を含んで構成されるけれども、他の実施形態では、広告表示システム１は、リモコン装置４を含まない構成であってもよい。広告主は、リモコン装置４を用いずに、広告表示システムを管理する広告代理店のＷＥＢサイトまたは電話を使用して、広告表示要求を行うことができる。これによって、広告表示システム１を簡易な構成で構築することができる。
【０１４２】
このように、広告表示システム１は、広告を表す広告データを表示部３１に表示させる広告表示ディスプレイ３と、表示部３１に表示させる広告データを管理する広告管理サーバ２とを含んで構成される。広告管理サーバ２は、管理記憶部１４と、表示中広告記憶部１５と、管理通信部１６と、広告表示範囲決定部１２と、広告料金管理部１３と、管理通信部１６とを含む。管理記憶部１４によって、広告データが記憶される。表示中広告記憶部１５によって、表示部３１に表示中の広告の数である表示広告数が記憶される。管理通信部１６によって、広告主からの広告の表示要求に関する広告表示要求情報が受信される。管理通信部１６によって広告表示要求情報が受信されると、広告料金管理部１３によって、表示中広告記憶部１５に記憶される表示広告数に基づいて、広告データを表示させる広告料金が算出され、算出された広告料金の徴収処理が広告主に対して行われる。広告料金管理部１３によって広告料金の徴収処理が行われると、広告表示範囲決定部１２によって、表示広告数に基づいて、広告データを表示させる表示部３１の領域の範囲である広告表示範囲が決定され、表示中広告記憶部１５に記憶される表示広告数に１が加算される。管理通信部１６は、広告表示ディスプレイ３との間で互いに通信可能である。管理通信部１６によって、管理記憶部１４に記憶される広告データと、広告表示範囲決定部１２によって決定された広告表示範囲に関する広告表示範囲情報とが、互いに関連付けた状態で広告表示ディスプレイ３へ送信される。広告表示ディスプレイ３は、示通信部と、表示部３１とを含む。表示通信部３６は、管理通信部１６との間で互いに通信可能である。表示通信部３６によって、管理通信部１６が送信した広告データと広告表示範囲情報とが受信される。表示部３１によって、表示通信部３６によって受信した広告表示範囲情報に従って、広告表示範囲情報に関連付けられている広告データが表示される。
【０１４３】
広告表示範囲決定部１２は、広告主からの広告表示要求情報を受けると、表示中の広告の数に基づいて、広告データの広告表示範囲を決定する。これによって、広告表示システム１は、広告主が表示を希望した広告データを、表示部３１に表示中の広告の数によって重み付けされた領域の範囲で、表示部３１に表示することができる。したがって、広告表示システム１は、広告表示要求に応答して、広告主の希望する時間帯かつ希望する広告表示ディスプレイ３に、広告データを迅速に表示させることができる。
【０１４４】
また、広告料金管理部１３は、表示中の広告の数に基づいて、広告データを表示させる広告料金を算出する。これによって、広告表示システム１は、広告表示範囲、すなわち広告データを表示させる表示部３１の領域の面積によって重み付けされた広告料金を、広告主から徴収することができる。
【０１４５】
さらに、広告表示範囲決定部１２によって、表示部３１に広告データが表示されている状態のときに広告表示要求情報を受信すると、表示部３１に表示させるべき広告の数によって表示部３１の領域が分割され、分割された各領域に広告データをそれぞれ表示させるとする新たな広告表示範囲が決定される。
【０１４６】
これによって、広告表示システム１は、複数の広告表示要求があるときに、表示部３１の領域を分割して、複数の広告データを同時に表示部３１に表示させることができる。したがって、広告表示システム１は、広告主の希望する時間帯に、確実に広告データを表示させることができる。
【０１４７】
また、新たな広告表示要求があるごとに、広告表示範囲決定部１２によって、新たな広告表示範囲が決定されるので、広告表示システム１は、広告主からの広告表示要求を常時受付けることができる。したがって、広告表示システム１は、予め定められた広告を表示するスケジュールに従って広告を表示させるのではなく、広告主からの広告表要求を受けると、速やかに広告を表示させることができる。
【０１４８】
さらに、広告料金管理部１３によって、広告主に対する広告料金の徴収処理を行った後、広告表示範囲決定部１２によって新たな広告表示範囲が決定されると、決定された新たな広告表示範囲に基づいて新たな広告料金が算出され、算出された新たな広告料金と徴収処理済みの広告料金との差額が、広告主に対して返金処理される。
【０１４９】
広告料金管理部１３は、広告表示範囲によって重み付けられた適切な広告料金を常に算出し、広告主に対して広告料金の返金処理を行う。これによって、広告主から広告表示要求があるごとに、表示部３１の表示領域が分割されて、広告１つ当たりの表示領域の面積が分割前よりも小さくなるけれども、広告表示システム１は、広告主へ広告料金を適切に返金することができる。
【０１５０】
さらに、広告料金管理部１３によって、広告料金に対応付けられた利用度数が予め設定され、広告主に対する広告料金の徴収処理および返金処理が、利用度数の減算または加算によって行われる。
【０１５１】
これによって、広告主は、現金よりも取り扱いが容易な利用度数によって、広告料金の支払いをすることができる。たとえば広告表示システム１は、広告主に対して、利用度数を前払いで販売しておくことによって、広告主が広告の表示要求を行った後、広告料金を決済する処理時間を可及的に少なくして、速やかに広告を表示することができる。
【０１５２】
さらに、広告表示ディスプレイ３は、広告表示要求情報を受信することができる表示送受信部３５をさらに含む。表示送受信部３５によって広告表示要求情報を受信すると、受信した広告表示要求情報が、表示通信部３６から広告管理サーバ２の管理通信部１６へ送信される。
【０１５３】
これによって、広告主は、広告表示ディスプレイ３が設置されている場所、周囲の状況、通行人の数などを実際に確認して、その広告表示ディスプレイ３に対して広告の表示要求を行うことができる。たとえば広告主は、自己の店舗の来客者が少ないときに、店舗の近傍に設置されている広告表示ディスプレイ３のうち通行人の多い広告表示ディスプレイ３のみに対して広告を表示させるなど、集客活動を効果的に行うことができる。
【０１５４】
さらに、広告表示システム１は、広告表示ディスプレイ３へ広告表示要求情報を送信するリモコン装置４をさらに含んで構成される。リモコン装置４は、入力部４２と、リモコン送受信部４５とを含む。入力部４２によって、広告主の入力操作による広告の表示要求が行われる。リモコン送受信部４５は、広告表示ディスプレイ３との間で互いに情報の送受信が可能である。リモコン送受信部４５によって、入力部４２に入力された広告表示要求情報が、広告表示ディスプレイ３の表示送受信部３５へ送信される。
【０１５５】
これによって、広告主は、広告表示ディスプレイ３に対して、リモコン装置４を用いて容易に広告表示要求を行うことができる。したがって、広告表示システム１は、広告主からの広告表示要求に係る処理時間を少なくして、広告主が広告の表示を希望した時から可及的速やかに広告を表示させることができる。
【０１５６】
さらに、広告表示ディスプレイ３は、広告データを記憶する表示記憶部をさらに含む。管理通信部１６から送信された広告データが表示受信部によって受信され、受信された広告データが表示記憶部に記憶される。
【０１５７】
これによって、広告表示ディスプレイ３は、過去に表示した広告データを記憶することができる。したがって、広告表示システム１は、表示記憶部に記憶されている広告データに対して広告主が広告表示要求を行ったとき、広告管理サーバ２から広告データを受信することなく、速やかに広告を表示させることができる。
【０１５８】
さらに、広告表示方法は、広告を表す広告データを表示部３１に表示させる広告表示段階と、表示部３１に表示させる広告データを管理する広告管理段階とを含む。広告管理段階は、管理記憶工程と、表示中広告記憶工程と、管理通信工程と、広告表示範囲決定工程と、料金管理工程と、管理通信工程とを含む。管理記憶工程では、広告データが記憶される。表示中広告記憶工程では、表示部３１に表示中の広告の数である表示広告数が記憶される。管理通信工程では、広告主からの広告の表示要求に関する広告表示要求情報が受信される。管理通信工程で広告表示要求情報が受信されると、広告料金管理工程では、表示中広告記憶工程に記憶される表示広告数に基づいて、広告データを表示させる広告料金が算出され、算出された広告料金の徴収処理が広告主に対して行われる。広告料金管理工程で広告料金の徴収処理が行われると、広告表示範囲決定工程では、表示広告数に基づいて、広告データを表示させる表示部３１の領域の範囲である広告表示範囲が決定され、表示中広告記憶工程で記憶された表示広告数に１が加算される。管理通信工程では、管理記憶工程で記憶された広告データと、広告表示範囲決定工程で決定された広告表示範囲に関する広告表示範囲情報とが、互いに関連付けた状態で広告表示ディスプレイ３へ送信される。広告表示段階は、表示通信工程と、表示工程とを含む。表示通信工程では、管理通信工程で送信された広告データと広告表示範囲情報とが受信される。表示工程では、表示通信工程で受信した広告表示範囲情報に従って、広告表示範囲情報に関連付けられている広告データが表示部３１に表示される。
【０１５９】
広告表示範囲決定工程では、広告主からの広告表示要求情報を受けると、表示中の広告の数に基づいて、広告データの広告表示範囲が決定される。これによって、広告表示方法では、広告主が表示を希望した広告データを、表示部３１に表示中の広告の数によって重み付けされた領域の範囲で、表示部３１に表示させることができる。したがって、広告表示方法では、広告表示要求に応答して、広告主の希望する時間帯かつ希望する表示部３１に、広告データを迅速に表示させることができる。
【０１６０】
また、料金管理工程では、表示中の広告の数に基づいて、広告データを表示させる広告料金が算出される。これによって、広告表示方法では、広告表示範囲、すなわち広告データを表示させる表示部３１の領域の面積によって重み付けされた広告料金を、広告主から徴収することができる。
【符号の説明】
【０１６１】
１  広告表示システム
２  広告管理サーバ
３  広告表示ディスプレイ
４  リモコン装置
６  通信回線網
１１  サーバ中央処理部
１２  広告表示範囲決定部
１３  広告料金管理部
１４  管理記憶部
１５  表示中広告記憶部
１６  管理通信部
２１  広告主ＡのＩＤ
２２  広告主Ａの広告料金残金額
２３  広告主Ａの広告データ
２４  広告主ｎのＩＤ
２５  広告主ｎの広告料金残金額
２６  広告主ｎの広告データ
２７  表示広告数
３１  表示部
３２  ディスプレイ中央処理部
３３  広告記憶部
３４  広告表示位範囲管理部
３５  表示送受信部
３６  表示通信部
３７  時計手段
４１  リモコン表示部
４２  入力部
４３  リモコン中央処理部
４４  ＩＤ格納メモリ
４５  リモコン送受信部
５１  広告システム
５２  インフォメーションディスプレイ
５３  サーバ
【図１】
2011076476.tif 000003
【図２】
2011076476.tif 000004
【図３】
2011076476.tif 000005
【図４】
2011076476.tif 000006
【図５】
2011076476.tif 000007
【図６】
2011076476.tif 000008
【図７】
2011076476.tif 000009
【図８】
2011076476.tif 000010
【図９】
2011076476.tif 000011
【図１０】
2011076476.tif 000012
【図１１】
2011076476.tif 000013
【図１２】
2011076476.tif 000014
【図１３】
2011076476.tif 000015